(57)【要約】【課題】耐熱性を向上させるとともに、製造時における有機発光素子への熱的ダメージを抑制することができる有機発光装置及びその製造方法を提供する。【解決手段】本発明による有機発光装置３０は、有機発光素子２０と、有機発光素子２０の表面を覆う断熱材１１と、有機発光素子２０が電気的に接続されたインターポーザ１４とを備えている。断熱材１１は、シリカエアロゲルであるのが好ましい。【選択図】図１
2009117576.tif 000002
【特許請求の範囲】
【請求項１】
有機発光素子と、
前記有機発光素子の表面を覆う断熱材と、
前記有機発光素子が電気的に接続されたインターポーザとを備えたことを特徴とする有機発光装置。
【請求項２】
前記断熱材は、シリカエアロゲルであることを特徴とする請求項１に記載の有機発光装置。
【請求項３】
有機発光素子を形成する工程と、
前記有機発光素子を断熱材で被覆する工程と、
リフロー処理により前記有機発光素子をインターポーザに電気的に接続する工程とを有することを特徴とする有機発光装置の製造方法。
【発明の詳細な説明】
【技術分野】
【０００１】
本発明は、有機発光装置及びその製造方法に関し、特に耐熱性を改善した有機発光装置及びその製造方法に関する。
【背景技術】
【０００２】
有機発光素子として、電界型発光素子である有機発光（エレクトロルミネセンス）素子が注目されている。これは、基板、光を発光するための有機発光層、電極、封止層等を有しており、インターポーザ（中継支持基板）に接合された有機発光装置として使用することができる。
【０００３】
この種の有機発光装置の製造方法では、有機発光素子の陽極と陰極をそれぞれインターポーザの陽極及び陰極用の配線にハンダを介して配置し、還元雰囲気下でリフロー処理（例えば１５０℃程度でリフロー）を行う。これによりハンダを溶融し、有機発光素子をインターポーザに固定するとともに電気的に接続することができる。  
しかしながら、このようなリフロー処理によって有機発光素子をインターポーザに固定させる場合、通常のリフローにおいては１５０〜１８０℃、高いところでは約２５０℃の温度にする必要があるため、有機発光素子に熱的ダメージを与えるといった問題があった。すなわち、有機発光素子は１００℃以上では性能劣化することが知られており、リフロー処理により製造歩留りが悪化する懸念があった。
【０００４】
一方、有機発光素子は、様々な環境の下で使用され得るが、例えば発熱体の近傍や温度の上がった車内等では高温に曝されることになり、厳しい温度環境では有機発光素子の性能劣化が促進され、寿命が短いという点で実用化上問題となっている。
【０００５】
有機発光素子において、水分、アウトガス等から電極及び発光層を保護するためのバリア層の線膨張係数を電極や発光層に近い値に調整することが開示されている（例えば、特許文献１参照。）。これにより、−２０〜＋８０℃程度の温度変化に対しても、電極の剥離等を防止し、対環境性、耐温度性を向上させることができる。しかしながら、上述したように製造時にリフロー処理を伴う場合、２００℃を超える高温に曝されることがあり、線膨張係数の調整のみでは有機発光素子への熱的ダメージを防ぐことは困難である。
【特許文献１】特開２００１−０６０４９５号公報
【発明の開示】
【発明が解決しようとする課題】
【０００６】
本発明の目的は、上述した課題を解決するために創案されたものであり、耐熱性を向上させるとともに、製造時における有機発光素子への熱的ダメージを抑制することができる有機発光装置及びその製造方法を提供することにある。
【課題を解決するための手段】
【０００７】
上記目的を達成するための本発明の一態様によれば、有機発光素子と、前記有機発光素子の表面を覆う断熱材と、前記有機発光素子が電気的に接続されたインターポーザとを備えたことを特徴とする有機発光装置が提供される。
【０００８】
また、本発明の一態様によれば、有機発光素子を形成する工程と、前記有機発光素子を断熱材で被覆する工程と、リフロー処理により前記有機発光素子をインターポーザに電気的に接続する工程とを有することを特徴とする有機発光装置の製造方法が提供される。
【発明の効果】
【０００９】
本発明によれば、有機発光素子の表面全体を断熱材により被覆するので、製造時において外部雰囲気からの熱拡散を抑制することができる。これによって、有機発光素子への熱的ダメージを防ぐことができる。
【００１０】
また、使用時に、高温状態の環境にあっても優れた断熱性を有するので、有機発光素子の性能劣化を防止することができる。
【発明を実施するための最良の形態】
【００１１】
以下、図面を参照して本発明の実施の形態を説明する。以下の図面の記載において、同一又は類似の部分には同一又は類似の符号を付している。ただし、図面は模式的なものであり、現実のものとは異なり、また、図面相互間においても互いの寸法の関係や比率が異なる部分が含まれていることに留意すべきである。
【００１２】
[第１の実施の形態]
（有機発光装置の構成）
図１に示すように、有機発光装置３０は、有機発光素子２０と、有機発光素子２０の表面を覆う断熱材１１と、有機発光素子２０が電気的に接続されたインターポーザ１４とを備えている。
【００１３】
有機発光素子２０は、基板１上に、陽極層２、陰極引き出し端子６、発光部３、陰極層５、封止層８、および補強板１０を備えており、陽極層２、発光部３及び陰極層５が順に積層されている（図３参照）。陰極引き出し端子６に接続された陰極層５は発光部３を覆うように形成され、陽極層２に絶縁層７を介して固定されている。絶縁層４、７は陽極層２と陰極層５又は陰極引き出し端子６とを絶縁するためのものであり、ＳｉＯ２やＳｉＮ等からなる。封止層８は、陽極層２、陰極層５、および発光部３を保護するためのものであり、エポキシ樹脂等からなる。この封止層８はガラスからなる補強板１０により補強されている。
【００１４】
有機発光素子２０は、陽極端子部２ａ及び陰極端子部６ａを除いて表面全体が断熱材１１により被覆されている。陽極端子部２ａにはＡｇ等の導電性部材３２が、陰極端子部６ａにはＡｇ等の導電性部材３６が形成されており、導電性部材３２はインターポーザ１４の陽極用配線１２に、導電性部材３６はインターポーザ１４の陰極用配線１３にそれぞれハンダ４２及びハンダ４６を介して電気的に接続されている。
【００１５】
この有機発光素子２０では、基板１側から光が発光するように構成されているので、基板１は、ガラス基板等の光を透過する透明基板が用いられる。同様に、陽極層２及び陰極引き出し端子６も、光を透過可能な厚さ約１５０〜約１６０ｎｍのＩＴＯ（インジウム−スズ酸化物）の透明電極からなる。
【００１６】
発光部３は、図２に示すように、基板１側から、正孔注入層３１、正孔輸送層３２、有機発光層３３、電子輸送層３４、および電子注入層３５が順次積層されている。
【００１７】
正孔注入層３１は、陽極層２からの正孔の注入率を向上させるものであり、例えば厚さ約７０ｎｍの銅フタロシアニン（ＣｕＰｃ）からなる。正孔輸送層３２は、正孔注入層３１を介して陽極層２から注入された正孔を円滑に有機発光層３３に輸送するためのものであり、例えば厚さ約６０ｎｍのＮＰＢ（Ｎ，Ｎ−ジ（ナフタリル）−Ｎ，Ｎ−ジフェニル−ベンジデン）からなる。
【００１８】
有機発光層３３は、注入された正孔及び電子が再結合して発光するためのものであり、例えば発光種であるクマリン化合物（Ｃ５４５Ｔ）が約１％ドーピングされた厚さ約３０ｎｍのＡｌｑ３（アルミニウムキノリノール錯体）からなる。
【００１９】
電子輸送層３４は、電子注入層３５を介して陰極層５から注入された電子を円滑に有機発光層３３に輸送するためのものであり、例えば厚み約３５ｎｍのＡｌｑ３からなる。電子注入層３５は、陰極層５からの電子の注入率を向上させるものであり、例えば厚さ約０．５ｎｍのＬｉＦからなる。
【００２０】
陰極層５は、例えば厚さ約１５０ｎｍのＡｌからなる。
【００２１】
本発明の有機発光素子２０は、上述したように、表面が断熱材１１により被覆されている。断熱材１１としては、光透過性があり、断熱性を有するものであれば、特に限定はされないが、シリカエアロゲルを用いることが好ましい。
【００２２】
シリカエアロゲルは、体積の９０％以上を空隙が占める、透明な発泡スチロール状の物質であり、樹枝状に凝集した数十ｎｍの微細なシリカ粒子から構成されている。シリカ粒子径が光の波長より小さいため光透過性があり、かつ細孔径が小さく空気の対流が妨げられるために、優れた断熱性能を示す。その熱伝導率は約０．０１７Ｗ／（ｍ・Ｋ）、融点は約１２００℃である。
【００２３】
なお、断熱材１１として光透過性のよいシリカエアロゲルを用いるので、有機発光素子２０の表面を覆っても光の取り出し効率を十分維持することができる。
【００２４】
本発明の実施の形態に係るインターポーザ１４は、例えば、ガラスシート、セラミックシート、あるいは樹脂シートなどで作製した配線基板１５と、陽極用配線１２及び陰極用配線１３からなる。有機発光素子２０と電気的に接続するための陽極用配線１２及び陰極用配線１３は、Ａｕ／Ｎｉ合金を用いる。これによればハンダ付け性が向上するので、導電性部材３２、３６を良好に固着することができる。
【００２５】
次に、上述した有機発光装置３０の動作説明を行う。
【００２６】
まず、インターポーザ１４の陽極用配線１２及び陰極用配線１３を介して、有機発光素子２０の陽極層２及び陰極層５の間に一定の電圧が印加される。これにより、陽極層２から正孔注入層３１及び正孔輸送層３２を介して有機発光層３３に正孔が注入されるとともに、陰極層５から電子注入層３５及び電子輸送層３４を介して有機発光層３３に電子が注入される。そして、有機発光層３３に注入された正孔と電子とが再結合することによって、光を発光する。発光された光は、基板１を介して外部に出射される。
【００２７】
（製造方法）
次に、上述した有機発光装置３０の製造方法について説明する。図３〜図７は、本発明の実施の形態による有機発光装置の製造方法を説明する図である。
【００２８】
本発明の実施の形態に係る有機発光装置の製造方法は、有機発光素子２０を形成する工程と、有機発光素子２０を断熱材１１で被覆する工程と、リフロー処理により有機発光素子２０をインターポーザ１４に電気的に接続する工程とを有する。
【００２９】
以下に、製造工程を説明する。
【００３０】
まず、図３に示すように、ガラス基板１上の陽極層２及び陰極引き出し端子６をパターニング、エッチングした後、陽極層２と陰極引き出し端子６の間に絶縁層４を、そして陽極層２上に絶縁層７を形成する。次に、真空蒸着装置で、正孔注入層３１、正孔輸送層３２、有機発光層３３、電子輸送層３４、および電子注入層３５を順に成膜して発光部３を形成し、次いで陰極層５を成膜する。次に、陽極端子部２ａ及び陰極端子部６ａを除いて封止層８で被覆する。この封止層８をガラスからなる補強板１０を貼り付けて固定し、有機発光素子２０が得られる。
【００３１】
次に、図４に示すように、封止層８で被覆されなかった陽極端子部２ａ及び陰極端子部６ａにそれぞれマスク用テープ２１を貼り付ける。
【００３２】
次に、図５に示すように、有機発光素子２０の表面全体を断熱材１１としてのシリカエアロゲルを用いて５μｍの厚さで真空蒸着装置によりコーティングする。
【００３３】
なお、シリカエアロゲルは、通常、塩基を触媒としたゾルゲル法でシリカの湿潤ゲルを作り、このゲルをアルコールまたはＣＯ２-アルコール系の超臨界条件の下で、徐々に溶媒を抜いて乾燥（超臨界乾燥）して得ることができる。
【００３４】
次に、図６に示すように、マスク用テープ２１を剥離する。
【００３５】
次に、図７に示すように、マスク用テープ２１を剥離することにより露出した陽極端子部２ａ及び陰極端子部６ａと、断熱材１１の側面とに導電性部材３２、３６としてのＡｇペーストを塗布する。次いで、リフロー処理が行われる。すなわち、このリフロー処理では雰囲気温度が１５０〜１８０℃で約２時間、約２５０℃で約５分間保持される。これにより有機発光素子２０とインターポーザ１４は導電性部材３２、３６を介してハンダ４２、４６により接合される。最後に、室温まで冷却して、図１に示す有機発光装置３０が完成する。
【００３６】
本発明の有機発光装置３０によれば、上述したように、有機発光素子２０の表面が断熱材１１により被覆されているので、製造時において、有機発光素子２０が熱的ダメージを受けることを抑制することができる。
【００３７】
また、本発明の有機発光装置３０によれば、使用時に、高温状態の環境にあっても優れた断熱性を有するので、有機発光素子２０の性能劣化が促進するのを防止することができる。
【００３８】
[その他の実施の形態]
以上、上述した第１の実施の形態によって本発明を詳細に説明したが、当業者にとっては、本発明が本明細書中に説明した第１の実施の形態に限定されるものではないということは明らかである。本発明は、特許請求の範囲の記載により定まる本発明の趣旨及び範囲を逸脱することなく修正及び変更形態として実施することができる。従って、本明細書の記載は、例示説明を目的とするものであり、本発明に対して何ら制限的な意味を有するものではない。以下、上述した第１の実施の形態を一部変更した変更形態について説明する。
【００３９】
例えば、各層の厚みや構成する材料を変更することは可能である。
【００４０】
また、上述した第１の実施の形態に係る有機発光素子２０においては、断熱材１１により表面全体が被覆された構成を説明したが、基板１の外表面のみが被覆された構成としてもよい。この構成においても上述した第１の実施の形態と同様の効果が得られる。
【図面の簡単な説明】
【００４１】
【図１】本発明の実施の形態に係る有機発光装置の断面構造を模式的に示した図である。
【図２】図１の発光部部分の構成を示す図である。
【図３】本発明の実施の形態に係る有機発光装置の製造方法を説明する図である。
【図４】本発明の実施の形態に係る有機発光装置の製造方法を説明する図である。
【図５】本発明の実施の形態に係る有機発光装置の製造方法を説明する図である。
【図６】本発明の実施の形態に係る有機発光装置の製造方法を説明する図である。
【図７】本発明の実施の形態に係る有機発光装置の製造方法を説明する図である。
【符号の説明】
【００４２】
１      基板
２      陽極層
３      発光部
５      陰極層
１１    断熱材
１２    陽極用配線
１３    陰極用配線
１４    インターポーザ
１５    配線基板
２０    有機発光素子
３０    有機発光装置
３２、３６  導電性部
【図１】
2009117576.tif 000003
【図２】
2009117576.tif 000004
【図３】
2009117576.tif 000005
【図４】
2009117576.tif 000006
【図５】
2009117576.tif 000007
【図６】
2009117576.tif 000008
【図７】
2009117576.tif 000009